(57)【要約】【課題】  非接触ＩＣカード用リーダライタの回路動作およびデータキャリアとの通信動作の信頼性向上を図り、かつ、最大通信距離を長くする。【解決手段】  リーダライタを本体部１と蓋部２により構成し、蓋部２が本体部１に対して回転可能な構造および機構とする。本体部１には駆動回路を内蔵させ、蓋部２にはアンテナを内蔵させ、蓋部２にＩＣカードを装着することによりリーダライタとＩＣカードとの電磁誘導結合による通信を行うことができるように施す。蓋部２を本体部から１８０°回転させた状態とすることにより、アンテナまたはＩＣカードから放出される磁束の中で、同時に駆動回路を貫く磁束が最小化されるため、駆動回路動作およびＩＣカードとの通信動作の信頼性向上を図ることができる。【選択図】  図１
2005122348.tif 000002
【特許請求の範囲】
【請求項１】
データキャリアと電磁誘導結合による非接触通信を行うリーダライタであって、前記データキャリアと通信を行うためのアンテナと、駆動回路とを有し、かつ、前記駆動回路が前記アンテナから放出、または前記データキャリアから放出される電磁波による影響を受けないように、前記アンテナの前記駆動回路に対する相対位置を変化させることが可能な可動手段を有するリーダライタ。
【請求項２】
前記駆動回路と前記アンテナの間に金属板または金属と同等の導電率材料の板を挟み込むことを特徴とする請求項１記載のリーダライタ。
【発明の詳細な説明】
【技術分野】
【０００１】
本発明は、ＩＣカードなどのデータキャリアと非接触通信を行うリーダライタに関するものである。
【背景技術】
【０００２】
以下、従来のリーダライタについて図２を参照しながら説明する。
【０００３】
図２は従来のリーダライタの構造および機構を示す構成図である。図２（ａ）は外観斜視図、図２（ｂ）は上面図、図２（ｃ）は正面図、図２（ｄ）は側面図である。
【０００４】
図２において、従来のリーダライタは、ＩＣカードを挿入するためのスリット１０と、駆動回路１１と、アンテナ１２とを有する。アンテナ１２は、平面上に形成された巻き線コイルで形成されており、スリット１０にＩＣカードが挿入されることにより、前記ＩＣカードとアンテナ１２とが対向し、電磁誘導結合による通信が可能となる構造となっている。駆動回路１１は、少なくとも、ＩＣカードとの通信の制御、ＩＣカードと通信するデータの処理を行う機能を有するものである（例えば、特許文献１参照）。
【特許文献１】特開平１１−２３８１０３号公報
【発明の開示】
【発明が解決しようとする課題】
【０００５】
上述した従来のリーダライタでは、図２より明らかなように、ＩＣカードと電磁誘導結合による通信を行うために発生する、リーダライタのアンテナ１２とＩＣカードとを貫く磁束が、同時に駆動回路１１をも貫いてしまう。
【０００６】
この結果、駆動回路１１は貫通磁束により回路動作に影響を与えられ、回路の誤動作が発生し、駆動回路１１の動作の信頼性およびＩＣカードとの通信動作の信頼性が低下する不具合が発生する。
【０００７】
本発明は、このようは問題点を解決し、アンテナとＩＣカードとを貫く磁束の影響を抑制することによって信頼性の向上を実現させたリーダライタを実現することを目的とする。
【課題を解決するための手段】
【０００８】
本発明のリーダライタは、データキャリアと電磁誘導結合による非接触通信を行うリーダライタであって、前記データキャリアと通信を行うためのアンテナと、駆動回路とを有し、かつ、前記駆動回路が前記アンテナから放出、または前記データキャリアから放出される電磁波による影響を受けないように、前記アンテナの前記駆動回路に対する相対位置を変化させることが可能な可動手段を有する。
【０００９】
また、本発明のリーダライタは、さらに前記駆動回路と前記アンテナの間に金属板または金属と同等の導電率材料の板を挟み込むことを特徴とする。
【発明の効果】
【００１０】
上記構成にすることにより、前記アンテナとＩＣカードとを貫く磁束の中で、同時に前記駆動回路を貫く磁束を減少させることが可能となり、すなわち、前記駆動回路を貫く磁束の前記駆動回路動作への影響を抑制することにより誤動作を抑制し、この結果、前記駆動回路動作の信頼性、および前記ＩＣカードとの通信動作の信頼性向上を図ることができる。
【００１１】
さらに、金属板または金属と同等の導電率材料を前記アンテナのリフレクタとして機能させることができるので、アンテナの指向性を鋭くし、この結果、ＩＣカードとの通信距離の拡大を図ることができる。
【発明を実施するための最良の形態】
【００１２】
以下、本発明の実施の形態について、図１を参照しながら説明する。
【００１３】
図１は本発明のリーダライタの一実施形態における構造および機構を示す図である。
【００１４】
リーダライタは本体部１と蓋部２とから構成されている。本体部１には駆動回路が内蔵されており、蓋部２にはアンテナ３およびカード装着部４が設けられている。本体部１と蓋部２とはヒンジ部６によって互いに回転可能に連結されており、蓋部２を本体部１に密着させた状態から、蓋部２を本体部１から１８０°回転させることが可能な構成となっている。
【００１５】
また、本体部１上の蓋部２と密着する面には金属板５が設けられており、蓋部２を本体部１に密着させた状態においては、金属板５が、本体部１に内蔵の駆動回路と、蓋部２に内蔵のアンテナ３との間に挟まれる位置関係となる。
【００１６】
ＩＣカードがカード装着部４に装着されると、蓋部２においてアンテナ３とＩＣカードとが対向し、アンテナ３とＩＣカードとの電磁誘導結合による通信が可能となる。この通信によって得られたＩＣカードのデータは本体部１に内蔵された駆動回路によって処理される。
【００１７】
このように本実施形態によれば、蓋部２を回転させることによって、アンテナ３の駆動回路に対する相対位置を変化させることが可能となる。
【００１８】
蓋部２を本体部１から１８０°回転させた状態では、アンテナ３とＩＣカードとを貫く磁束の中で、同時に本体部１に内蔵された駆動回路をも貫く磁束を最小にすることができる。
【００１９】
この結果、本体部１内の駆動回路に対して、ＩＣカードと通信を行うためのアンテナ３とＩＣカードとを貫く磁束による影響を最小にすることが可能となり、駆動回路の誤動作を抑制することができるので、駆動回路動作の信頼性向上を図ることができる。
【００２０】
ここで、蓋部２を本体部１から１８０°以内に回転させた状態では、角度を大きくすればするほど、本体部１に内蔵された駆動回路を貫く磁束を抑えることができ、信頼性に影響しないところで利用可能となる。
【００２１】
また、蓋部２を本体部１に密着させた状態においては、金属板５が、本体部１に内蔵の駆動回路と、蓋部２に内蔵のアンテナ３との間に挟まれる位置関係となるため、金属板５は、アンテナ３のリフレクタとしての機能を有するようになり、ＩＣカードを、アンテナ３の駆動回路側と反対側に配置することにより、蓋部２を本体部１から１８０°回転させた状態における通信と比較して、その最大通信距離を長くすることができる。
【００２２】
このときは、蓋部２を本体部１から１８０°回転させた状態と比較して、通信距離を長くした状態で最も通信が安定するようになるが、この状態では金属板５がリフレクタとして機能するため、本体部１に内蔵された駆動回路への漏洩磁束も最小となり、駆動回路の信頼性も確保される。
【００２３】
この結果、リーダライタの蓋部２の外部にＩＣカードをかざすことによっても、リーダライタとＩＣカードとの通信が可能となり、使い勝手の良いリーダライタを構成することができる。
【００２４】
金属板５を挟み込むことによるリフレクタ機能は、蓋部２を本体部１から１８０°以内に回転させた状態では、角度を大きくすればするほど小さくなるので、磁束との兼ね合いで利用すればよい。
【００２５】
上記一連の内容により、ＩＣカードサイズの小型リーダライタでありながら、回路動作および通信の信頼性向上が図られ、かつ、最大通信距離をも長くする用途にも対応し得るリーダライタが実現する。
【産業上の利用可能性】
【００２６】
本発明のリーダライタは、ＩＣカードなどのデータキャリアと非接触通信ができ、アンテナとＩＣカードとを貫く磁束の影響を抑制され、かつ小型であることから、ＩＣカードを用いるシステムのすべてのリーダライタとして利用できる。
【図面の簡単な説明】
【００２７】
【図１】本発明のリーダライタの構造および機構を示す図
【図２】従来のリーダライタの構造および機構を示す図
【符号の説明】
【００２８】
１    本体部
２    蓋部
３    アンテナ
４    カード装着部
５    金属板
１０  スリット
１１  駆動回路
１２  アンテナ
【図１】
2005122348.tif 000003
【図２】
2005122348.tif 000004